(57)【要約】 【課題】  従来のスクリーンでは、スクリーンとして組み立てられてないので、分割して取り付けや取り外しを行う必要があり、取り付けや取り外し時の作業性が悪いと言う問題があった。【解決手段】  スクリーン用金具１は、水路の水流を横切る方向に設置し、水路の壁面２１に突出させた複数のアンカーボルト６１の軸の側方から差し込む切欠き４３が設けられた複数のスクリーンの取付部４１を有したスクリーン４０にあって、前記スクリーンの取付部４１に掛合する掛合部を備え、前記アンカーボルトに取り付ける複数のナット６２を用いて、前記水路の壁面に前記スクリーンの取付部を取り付けるために用いられる。【選択図】図１
2017002645.tif 000002
【特許請求の範囲】
【請求項１】
水路の水流を横切る方向に設置し、前記水路の壁面に突出させた複数のアンカーボルトの軸の側方から差し込む切欠きが設けられた複数のスクリーンの取付部を有したスクリーンにあって、前記スクリーンの取付部に掛合する掛合部を備え、前記アンカーボルトに取り付ける複数のナットを用いて、前記水路の壁面に前記スクリーンの取付部を取り付けるために用いられるスクリーン用金具。
【請求項２】
前記スクリーン用金具には、前記スクリーンの取付部がアンカーボルトに差し込まれる側に、前記スクリーン用金具を移動させる導入面が設けられている請求項１記載のスクリーン用金具。
【発明の詳細な説明】
【技術分野】
【０００１】
本発明は、水路の途中に取り付けるクリーンに用いられるスクリーン用金具に関するものである。
【背景技術】
【０００２】
田畑、宅地、工場用地等の周りには、灌水のためや、雨水や生活排水の排水を目的として、コンクリートで壁面を補強した水路が設けられている。水路には、地表面に露出して設置されている開放型水路や、地中に埋設され暗渠化された暗渠型水路がある。そして、開放型水路と暗渠型水路は適宜用途に応じて接続して用いられている。また、開放型水路や暗渠型水路については、下流に向かって合流して、最終的には河川や池、湖、海等（以下、単に河川等と略す。）に流れ込む様に構成されており、各々の水路の断面形状や断面積の異なるものを互いに接続して、一つの連続した水路となる様に構成して用いられることが一般的であった。
【０００３】
これらの水路、特に開放型水路については、周囲からの木の葉や草等の自然ゴミや、廃棄物等の人工ゴミが、流れ込むことは避けられないものであった。そして、これらの自然ゴミや人工ゴミ（以下、単にゴミと略す。）が、開放型水路や暗渠型水路を通じて河川に流れ込むことを防ぐと共に、ゴミを回収し易くするために、開放型水路や暗渠型水路の途中にはスクリーンと言う、格子状の柵が設けられている。
【０００４】
特に、両端が開放型水路に接続されている暗渠型水路の両端には、暗渠型水路内のゴミの除去が難しいので、暗渠型水路内に堆積したゴミにより、水の流れを阻害しない様にするためや、暗渠型水路内に、子供や動物等が入らない様にするために、スクリーンを設けることが多かった。
【０００５】
スクリーンを水路に取り付ける場合には、水路の壁面を形成しているコンクリートにアンカーボルトを埋め込み、埋め込んだアンカーボルトに、スクリーンを差し込んで、ナットを用いて取り付けることが一般的であった。特許文献１についても暗渠型水路の壁面に取り付ける支持プレートについてはアンカーボルトを埋め込み、ナットによって締着することで、取り付けられている。
【０００６】
開放型水路や暗渠型水路に取り付けられたスクリーンは、取り付けた後についても、取り外しや、その後に再び取り付けることを考える必要があった。スクリーンを取り外す必要性については、スクリーン本体についての補修をする場合や、水路に溜まった汚泥やゴミ等の除去のためには必要となっていた。また、暗渠型水路においては、暗渠内に入るための通用口として、スクリーンの取り外しは必ず必要となるものであった。このため、取り付けや取り外しの作業は容易にできる必要性があり、特許文献１の様な考案が提案されている。
【０００７】
また、開放型水路や暗渠型水路においては、天候によって変化する雨水が流入することから、水路を流れる水量は変化する。そのためや、スクリーンに付着したゴミの量により、スクリーンが強い力が加わる場合がある。そして、その強い力は、流れる方向だけではなく、草木や発泡スチロールなどの水に浮かぶゴミがスクリーンに付着した場合については、スクリーン自体を浮かび上がらせる方向に力が加わる場合がある。そして、スクリーンに働く力は、スクリーンの取付部やアンカーボルトに加わっていた。
【先行技術文献】
【特許文献】
【０００８】
【特許文献１】実用新案登録第３１１４３７０号公報
【発明の概要】
【発明が解決しようとする課題】
【０００９】
しかしながら、特許文献１記載のような従来の暗渠型水路部流入進入防止用スクリーン装置については、複数のスクリーンバーと支持プレートは分割出来る様になっており、一体に固定された状態のスクリーンとして組み立てられてないので、分割して取り付けや取り外しを行う必要があり、取り付けや取り外し時の作業性が悪いと言う問題があった。
【００１０】
また、暗渠型水路の壁面に取り付けた支持プレートに上部だけが複数本のスクリーンバーが固定されているため、暗渠型水路に流れるゴミなどにより、スクリーンバーにおいて支持されて無い側の端（下側）が、変形し易くなると言う問題があった。
【００１１】
さらに、暗渠型水路に取り付けた、支持プレートは、アンカーボルトに取り付けられているが、支持プレート自体の補修や交換をする際の取り付けや取り外し時の作業性が悪いと言う問題があった。
【課題を解決するための手段】
【００１２】
上記の課題を解決するため、本発明では、次の技術的手段を講じている。
【００１３】
第１発明のスクリーン用金具は、水路の水流を横切る方向に設置し、前記水路の壁面に突出させた複数のアンカーボルトの軸の側方から差し込む切欠きが設けられた複数のスクリーンの取付部を有したスクリーンにあって、前記スクリーンの取付部に掛合する掛合部を備え、前記アンカーボルトに取り付ける複数のナットを用いて、前記水路の壁面に前記スクリーンの取付部を取り付けるために用いられる。
【００１４】
第２発明のスクリーン用金具は、請求項１記載の発明において、前記スクリーンの取付部がアンカーボルトに差し込まれる側に、前記スクリーン用金具を移動させる導入面が設けられている。
【発明の効果】
【００１５】
以上のような技術的手段を有することにより、以下の効果を有する。
【００１６】
第１発明によれば、水路の水流を横切る方向に設置し、前記水路の壁面に突出させた複数のアンカーボルトの軸の側方から差し込む切欠きが設けられた複数のスクリーンの取付部を有したスクリーンにあって、前記スクリーンの取付部に掛合する掛合部を備え、前記アンカーボルトに取り付ける複数のナットを用いて、前記水路の壁面に前記スクリーンの取付部を取り付けるために用いられることで、スクリーンの取り付け取り外しが容易な状態を維持しつつ、水路のゴミや増水等の水路の外的な要因で発生する前記スクリーンに加わる力により前記スクリーンが水路から脱落を防止することができる。
【００１７】
第２発明によれば、第１発明の効果に加えて、前記スクリーンの取付部がアンカーボルトに差し込まれる側に、前記スクリーン用金具を移動させる導入面が設けられているので、スクリーン用金具が取り付けられたアンカーボルトに対して、前記スクリーンの取付部を差し込むことが簡単に出来ることになり、スクリーンを取り付ける作業がさらに簡単になる。
【図面の簡単な説明】
【００１８】
【図１】本発明に係る実施例１のスクリーン用金具を用いて、開放型水路にスクリーンを取り付ける場合の説明図である。
【図２】本発明に係る実施例１のスクリーン用金具を用いた取り付け方法の説明図である。
【図３】本発明に係る実施例１のスクリーン用金具を用いて、開放型水路にスクリーンを取り付けた状態を示す説明図である。
【図４】本発明に係る実施例２のスクリーン用金具を用いた取り付け方法の説明図である。
【図５】本発明に係る実施例３のスクリーン用金具を用いた取り付け方法の説明図である。
【図６】本発明に係る実施例４のスクリーン用金具を用いて、暗渠型水路にスクリーンを取り付ける場合の説明図である。
【図７】本発明に係る実施例４のスクリーン用金具を用いた取り付け方法の説明図である。
【発明を実施するための形態】
【００１９】
発明を実施する形態について、図面に基づいて具体的に説明する。
【実施例１】
【００２０】
本発明のスクリーン用金具１について、図１の開放型水路２０にスクリーン４０を取り付ける場合の説明図を用いて説明する。図１の開放型水路２０は、コンクリート製の両側の側壁２１がやや上方に向かって広がる断面Ｕ字状の形状となっている。両側の側壁２１には、アンカーボルト６１が後述するスクリーン４０のスクリーン取付部４１の位置に合わせて、簡単には脱落しない状態で埋め込まれている。また、両側の側壁２１に取り付けられたアンカーボルト６１は、スクリーン４０が、開放型水路２０の水路を直角に横切る様な位置に取り付けられる様にして、開放型水路２０の対向する位置に取り付けられている。
【００２１】
スクリーン４０は、ステンレス鋼や防錆表面処理をした鉄等の金属材料を、溶接やネジ・リベット等により、接合して組み立てられている。スクリーン４０は、開放型水路２０の開口形状に合わせたスクリーン格子部４２と、スクリーン格子部４２の両側の側面には、４個のスクリーン取付部４１が均等な間隔で取り付けられている。
【００２２】
同時に、スクリーン取付部４１の取り付け位置に関しては、スクリーン格子部４２が開放型水路２０内において、安定した状態で、かつ堅固になる様に考慮して設けられている。
なお、スクリーン４０の大きさによっては、スクリーン取付部４１とアンカーボルト６１との組み合わせについては、３組や、５組、６組等としても良い。
【００２３】
開放型水路２０にスクリーン４０を取り付ける場合には、開放型水路２０の上方の開口部２２から、落とし込む（差し込む）様に取り付けることが最も容易な取り付け方法となる。よって、開放型水路２０の側壁２１に取り付けられたアンカーボルト６１の軸の側方から差し込んで取り付けられる様に、４個のスクリーン取付部４１には、下側に向かって開口したU字切欠き４３が設けられている。
【００２４】
４個のスクリーン取付部４１にU字切欠き４３が設けられていることで、スクリーン４０を開放型水路２０の内部で、アンカーボルト６１の軸の側方から掛合することができるので、スクリーン４０が開放型水路２０の内部で仮止めされて、スクリーン４０自体が垂直に自立した状態が維持できることになる。そのため、スクリーン４０の取り付け状態の確認や、後でのナット６２を取り付け等の作業が容易になると言う作業性が向上する。
【００２５】
４箇所のアンカーボルト６１に４個のスクリーン取付部４１が掛合した状態で、各々のアンカーボルト６１に４個のスクリーン用金具１を夫々取り付け、その後、各々のアンカーボルト６１に、４個のナット６２を夫々取り付ける。
【００２６】
この、アンカーボルト６１と、スクリーン取付部４１、スクリーン用金具１とナット６２との取り付け状態の詳細について、図２を用いて説明する。図２においては、４個のスクリーン取付部４１における１か所の取り付け状態を代表例として説明している。その他の取り付け状態については、スクリーン４０の左右における違いはあるが、線対称としての違いであることから他の箇所における違いについては説明を省略する。また、スクリーン格子部４２に関しては、全部を図示せず、断面に斜線を付して破断された状態として図示している。アンカーボルト６１については、側壁２１に埋め込まれた状態であり、アンカーボルト６１の埋め込まれた周囲が側壁２１であるとして、側壁２１については図示を省略している。
【００２７】
図２（ａ）において、アンカーボルト６１の側壁２１に埋め込まれている根元の近傍において、アンカーボルト６１の側面を覆う様に、上方から（矢印で示している方向から）スクリーン取付部４１が差し込まれている。スクリーン用金具１は、スクリーン用金具の略中央付近にアンカーボルト６１の径よりも若干大きい孔１１が開けられている。また、スクリーン用金具１はテンレス鋼や防錆表面処理をした鉄等の金属製で、略方形の平板であり、四辺の内の一辺（図２（ａ）においては上側の辺）には、スクリーン取付部４１に向かう側に掛合部として突起部１５が設けられている。
【００２８】
突起部１５は、スクリーン用金具１と同じ幅で、金属板を折り曲げる又は、別の金属板を溶接する等で、平板のスクリーン用金具１から張り出させている。突起部１５の張り出し寸法については、スクリーン取付部４１の板厚と同じか、若しくはスクリーン取付部４１の板厚よりもやや薄い長さとして張り出している。また、突起部１５と孔１１との関係に関しては、孔１１にアンカーボルト６１が差し込まれた状態で、突起部１５が、スクリーン取付部４１の上面４４に接するか、若干の隙間が出来る状態に調整されている。
【００２９】
アンカーボルト６１にスクリーン用金具１を取り付けた状態で、ナット６２をアンカーボルト６１に螺合させて回転させながら、締め込み、スクリーン取付部４１をアンカーボルト６１に取り付ける。この取り付けられた状態が、図２（ｂ）である。ナット６２がアンカーボルト６１に締め込まれことにより、スクリーン取付部４１は、開放型水路２０の側壁２１（アンカーボルト６１の周囲にあるものとして図示は省略されている。）とスクリーン用金具１に挟み込まれた状態で密着して取り付けられる。
【００３０】
同時に、スクリーン用金具１の突起部１５は、スクリーン取付部４１の上面４４を覆う様に取り付けられているので、スクリーン４０に、上方向への力が加わった場合についても、スクリーン取付部４１の上面４４に突起部１５が掛合することで、U字切欠き４３がアンカーボルト６１から脱落することを防止することになる。
【００３１】
図３は、スクリーン４０の全体が、開放型水路２０に取り付けられた状態を示すもので、図２で説明した、スクリーン用金具１による取り付けが、４個のスクリーン取付部４１において同様に行われている。
【００３２】
なお、スクリーン４０に対して上方向へ力が加わり、スクリーン取付部４１のU字切欠き４３がアンカーボルト６１から脱落する可能性がある場合とは、開放型水路２０の水量が増加し、スクリーン４０のスクリーン格子部４２に水に浮かぶゴミが付着や絡みつく等して、浮力を有したゴミによりスクリーン格子部４２が押し上げられる場合である。
【００３３】
また、ナット６２については、アンカーボルト６１に締着されてはいるが、ナット６２はスクリーン４０の補修等のために取り外せる必要があることや、スクリーン格子部４２に加わる開放型水路２０の水量は増減して、スクリーン格子部４２を揺さぶる力が加わり、スクリーン格子部４２が揺さぶられれば、スクリーン取付部４１もアンカーボルト６１の周りで揺さぶられることになり、ナット６２に緩みが発生する場合もあるからである。
【実施例２】
【００３４】
図４は、実施例１の図２（ａ）と同様に一か所のスクリーン取付部４１をアンカーボルト６１にスクリーン用金具２で取り付ける場合の説明図である。スクリーン用金具２は実施例１のスクリーン用金具１とは異なり、孔１１ではなく、U字切欠き１２が設けられている。U字切欠き１２がスクリーン用金具２に設けられていることで、突起部１５につていても、分割された２つの突起部１６となっている。
【００３５】
スクリーン用金具２にU字切欠き１２が設けられていることにより、アンカーボルト６１にナット６２を仮止めした場合でも、スクリーン用金具２のアンカーボルト６１への取り付け取り外しが可能となり、スクリーン４０の取り付け作業がより簡単になる。他の部分については、実施例１と同様であるので、同一の符号を附して説明を省略する。
【実施例３】
【００３６】
図５は、実施例１の図２（ａ）と同様に一か所のスクリーン取付部４１をアンカーボルト６１にスクリーン用金具３で取り付ける場合の説明図である。スクリーン用金具３は実施例１のスクリーン用金具１とは異なり、突起部１８の上側（スクリーン用金具３の天面）に導入面１７が設けられている。実施例１のスクリーン用金具１の天面は、スクリーン用金具１の平面に対して直角に張り出しているが、スクリーン用金具３の天面である導入面１７はスクリーン用金具３の平面に対して鋭角に張り出している。
【００３７】
スクリーン用金具３に導入面１７が設けられていることにより、アンカーボルト６１にスクリーン用金具３を取り付けてナット６２を仮止めした場合でも、スクリーン取付部４１をアンカーボルト６１の軸の側方から差し込めば、スクリーン用金具３を移動させて、アンカーボルト６１の周囲にある側壁（図示は省略されている。）との間に、隙間を作ることができるので、容易にスクリーン取付部４１を取り付けることができる。この導入面１７を設けたことにより、スクリーン４０の取り付け作業がさらに簡単になる。他の部分については、実施例１と同様であるので、同一の符号を附して説明を省略する。
【実施例４】
【００３８】
本発明のスクリーン用金具４について、図６の暗渠型水路３０にスクリーン５０を取り付ける場合の説明図を用いて説明する。図６の暗渠型水路３０は、コンクリート製や金属等の円筒形の内壁３１を備えており、暗渠型水路３０の端部は、円形の開口端３２が、開口有しており、開放型水路の側壁や、貯水池等の護岸の側壁に開口している。なお、暗渠型水路に用いられるコンクリート製の円筒は土管とも呼ばれている。
【００３９】
暗渠型水路３０の内壁３１には、アンカーボルト６１が後述するスクリーン５０のスクリーン取付部５１の位置に合わせて、簡単には脱落しない状態で埋め込まれている。
また、内壁３１に取り付けられたアンカーボルト６１は、内壁３１の中心に向かう様に取り付けられており、スクリーン５０を均等に支える様に実施例の場合は、内壁３１を４分割する様に４本のアンカーボルト６１が設けられている。なお、スクリーン５０の大きさによっては、アンカーボルト６１を３本や、５本、６本等としても良い。
【００４０】
スクリーン５０は、ステンレス鋼や防錆表面処理をした鉄等の金属材料を、溶接やネジ・リベット等により、接合して組み立てられている。スクリーン５０は、暗渠型水路３０の開口形状に合わせたスクリーン格子部５２と、スクリーン格子部５２の周囲には、４個のアンカーボルト６１に合わせた、４箇所のスクリーン取付部５１が取り付けられている。
【００４１】
暗渠型水路３０にスクリーン５０を取り付ける場合には、暗渠型水路３０の側方の開口端３２の外側に取り付けることになる。暗渠型水路３０の内壁３１に取り付けられたアンカーボルト６１の軸の側方から差し込んで取り付けられる様に、４個のスクリーン取付部５１には、横方向に向かって開口したＬ字切欠き５３が設けられている。
【００４２】
４個のスクリーン取付部５１にＬ字切欠き５３が設けられていることで、スクリーン５０を暗渠型水路３０の内部で、アンカーボルト６１に、暗渠型水路３０の内部方向にスクリーン５０を差し込み、その後、時計回りにスクリーン５０を回転させると、アンカーボルト６１にスクリーン５０が仮止めさせた状態となる。
【００４３】
スクリーン５０が暗渠型水路３０の開口端３２に仮止めされていることで、スクリーン５０自体が垂直に自立した状態が維持できることになる。そのため、スクリーン５０の取り付け状態の確認が容易に行えることや、後述するスクリーン用金具やナットの取り付け作業が容易に行えることになるので、スクリーン５０の取り付け取り外しの作業性が向上する。
【００４４】
スクリーン５０が暗渠型水路３０の開口端３２に仮止めされた状態で、スクリーン用金具とナットの取り付けの詳細について、図７を用いて説明する。図７においては、４個のスクリーン取付部５１における１か所の取り付け状態を代表例として説明しているが、その他の箇所においては、取り付け方向の違いはあるが、点対称としての違いであることから他の箇所における違いについては説明を省略する。また、スクリーン格子部５２に関しては、全部を図示せず、断面に斜線を付して破断された状態として図示している。アンカーボルト６１については、内壁３１に埋め込まれた状態であり、アンカーボルト６１の埋め込まれた周囲が内壁３１であるとして、内壁３１については図示を省略している。
【００４５】
図７（ａ）において、アンカーボルト６１の内壁３１に埋め込まれている根元の近傍において、スクリーン取付部５１のL字切欠き５３の最も奥にまで、スクリーン取付部５１が差し込まれている。この状態において、アンカーボルト６１にスクリーン用金具４を取り付ける。
【００４６】
スクリーン用金具４は、スクリーン用金具４の略中央付近にアンカーボルト６１の径よりも若干大きい孔１１が開けられている。また、スクリーン用金具４はテンレス鋼や防錆表面処理をした鉄等の金属製で、略方形の平板であり、四辺の内の一辺（図７（ａ）においては手前右側の辺）には、スクリーン取付部５１に向かう側に掛合部として突起部１５が設けられている。
【００４７】
突起部１５は、スクリーン用金具４と同じ幅で、金属板を折り曲げる又は、別の金属板を溶接する等で、平板のスクリーン用金具４から張り出させている。突起１５の張り出し寸法については、スクリーン取付部５１の板厚と同じか、若しくはスクリーン取付部５１の板厚よりもやや薄い長さとしている。
【００４８】
また、突起部１５と孔１１との関係に関しては、スクリーン取付部５１のL字切欠き５３の最も奥にまでアンカーボルト６１がある状態で、スクリーン用金具４の孔１１にアンカーボルト６１が差し込まれると、突起部１５が、スクリーン取付部５１の側面５４に接するか、側面５４から若干の隙間が出来る状態に調整されている。
【００４９】
アンカーボルト６１にスクリーン用金具４を取り付けた状態で、ナット６２をアンカーボルト６１に螺合させて回転させながら、締め込み、スクリーン取付部５１をアンカーボルト６１に取り付ける。この取り付けられた状態が、図７（ｂ）である。
【００５０】
ナット６２がアンカーボルト６１に締め込まれことにより、スクリーン取付部５１は、暗渠型水路３０の内壁３１とスクリーン用金具４に挟み込まれた状態で密着して取り付けられる。同時に、スクリーン用金具４の突起部１５は、スクリーン取付部５１の側面５４を覆う様に取り付けられているので、スクリーン５４に、逆時計回り方向の力が加わった場合についても、スクリーン取付部５１のＬ字切欠き５３がアンカーボルト６１から脱落することを防止することになる。
【００５１】
なお、スクリーン５０に対して逆時計回り方向へ力が加わり、スクリーン取付部５１のL字切欠き５３がアンカーボルト６１から脱落する可能性がある場合とは、暗渠型水路３０の水量が増加し、スクリーン５０のスクリーン格子部５２に水に浮かぶゴミが付着や絡みつく等して、浮力を有したゴミによりスクリーン格子部５２に回転させる力が加わる場合である。
【００５２】
また、ナット６２については、アンカーボルト６１に締着されてはいるが、ナット６２はスクリーン５０の補修等のために取り外せる必要があることや、スクリーン格子部５２に加わる暗渠型水路３０の水量は増減して、スクリーン格子部５２を揺さぶる力が加わり、スクリーン格子部５２が揺さぶられれば、スクリーン取付部５１もアンカーボルト６１の周りで揺さぶられることになり、ナット６２に緩みが発生する場合もあるからである。
【００５３】
以上、本発明について、実施例に基づき説明してきたが、本発明は何らこれらの実施例の構成に限定するものではない。例えば、スクリーン５０にスクリーン用金具２やスクリーン用金具３を組み合わせて実施すれば、さらに作業性を向上させることができる。
【産業上の利用可能性】
【００５４】
本発明のスクリーン用金具は、水路に使用されるスクリーンに使用されるものであり、金属加工の分野において産業上の利用性を有している。
【符号の説明】
【００５５】
１、２、３、４：スクリーン用金具
１１：孔
１２：U字切欠き
１５、１６、１８：突起部
１７：導入面
２０：開放型水路
２１：側壁
２２：開口部
３０：暗渠型水路
３１：内壁
３２：開口端
４０、５０：スクリーン
４１、５１：スクリーン取付部
４２、５２：スクリーン格子部
４４：上面
４３：U字切欠き
５３：L字切欠き
５４：側面
６１：アンカーボルト
６２：ナット
【図１】
2017002645.tif 000003
【図２】
2017002645.tif 000004
【図３】
2017002645.tif 000005
【図４】
2017002645.tif 000006
【図５】
2017002645.tif 000007
【図６】
2017002645.tif 000008
【図７】
2017002645.tif 000009